(57)【要約】【課題】原稿において修正液が塗布された領域に対して所定のデータ加工を施すことができる画像処理装置および画像処理方法を提供すること。【解決手段】画像処理装置１００は、第１の露光量と第２の露光量とを用いて原稿を露光する露光手段１２０と、第１の露光量を用いて第１の画像データを生成し、第２の露光量を用いて第２の画像データを生成する読取手段１３０と、第２の画像データから、原稿の濃度を検知する濃度検知手段と、第１の画像データから、原稿の濃度差領域を検知する濃度差領域検知手段と、濃度および濃度差領域に基づき、原稿に付着した付着物の領域を決定する領域決定手段と、第２の画像データ上の前記付着物の領域に対して所定のデータ加工を施す画像処理手段１４０とを備える。【選択図】        図１
2009194516.tif 000002
【特許請求の範囲】
【請求項１】
少なくとも第１の露光量と前記第１の露光量と異なる第２の露光量とを用いて原稿を露光する露光手段と、
前記第１の露光量を用いて露光された原稿を読み取って第１の画像データを生成し、前記第２の露光量を用いて露光された原稿を読み取って第２の画像データを生成する読取手段と、
前記第２の画像データから、前記原稿の濃度を検知する濃度検知手段と、
前記第１の画像データから、前記原稿の濃度差領域を検知する濃度差領域検知手段と、
前記濃度検知手段により検知された濃度および前記濃度差領域検知手段により検知された濃度差領域に基づき、前記原稿に付着した付着物の領域を決定する領域決定手段と、
前記第２の画像データ上の前記付着物の領域に対して所定のデータ加工を施す画像処理手段と、
を備えることを特徴とする画像処理装置。
【請求項２】
前記第１の露光量は、前記第２の露光量よりも大きいことを特徴とする請求項１に記載の画像処理装置。
【請求項３】
前記第１の露光量は、前記原稿に付着した付着物の少なくとも一部を透過する露光量であることを特徴とする請求項１または２に記載の画像処理装置。
【請求項４】
前記濃度検知手段は、検知した濃度から前記原稿の地肌濃度を決定するとともに、前記濃度差領域検知手段によって検知された濃度差領域の周辺領域の濃度を検知し、
前記領域決定手段は、前記周辺領域のうち前記地肌濃度よりも濃度の低い領域を、前記濃度差領域とともに、前記原稿に付着した付着物の領域として決定することを特徴とする請求項１〜３のうちいずれか一項に記載の画像処理装置。
【請求項５】
前記露光手段は、さらに、前記第１の露光量および前記第２の露光量と異なるとともに、前記第１の露光量を用いた原稿読み取りの際の測定誤差を考慮した第３の露光量を用いて原稿を露光し、
前記読取手段は、さらに、前記第３の露光量を用いて露光された原稿を読み取って第３の画像データを生成し、
前記濃度差領域検知手段は、さらに、前記第３の画像データから、前記原稿の濃度差領域を検知することを特徴とする請求項１〜４のうちいずれか一項に記載の画像処理装置。
【請求項６】
前記濃度検知手段は、検知した濃度から前記原稿の地肌濃度を検知し、
前記領域決定手段は、前記第２の画像データが前記地肌濃度よりも低い低濃度領域を有する場合に前記原稿に付着物があると判断し、前記原稿に付着した付着物の領域を決定することを特徴とする請求項１〜３のうちいずれか一項に記載の画像処理装置。
【請求項７】
前記原稿の透過率を検知する透過率検知手段をさらに備え、
前記露光手段は、前記透過率検知手段によって検知された透過率に基づき前記第１の露光量および前記第２の露光量を決定することを特徴とする請求項１〜６のうちいずれか一項に記載の画像処理装置。
【請求項８】
前記画像処理手段によって前記所定のデータ加工が施された前記第２の画像データを出力する出力手段をさらに備えることを特徴とする請求項１〜７のうちいずれか一項に記載の画像処理装置。
【請求項９】
前記原稿に付着した付着物は、原稿に示された画像の少なくとも一部を修正する修正材であることを特徴とする請求項１〜８のいずれか一項に記載の画像処理装置。
【請求項１０】
少なくとも第１の露光量と前記第１の露光量と異なる第２の露光量とを用いて原稿を露光する露光ステップと、
前記第１の露光量を用いて露光された原稿を読み取って第１の画像データを生成し、前記第２の露光量を用いて露光された原稿を読み取って第２の画像データを生成する読取ステップと、
前記第２の画像データから、前記原稿の濃度を検知する濃度検知ステップと、
前記第１の画像データから、前記原稿の濃度差領域を検知する濃度差領域検知ステップと、
前記濃度検知ステップにおいて検知された濃度および前記濃度差領域検知ステップにより検知された濃度差領域に基づき、前記原稿に付着した付着物の領域を決定する領域決定ステップと、
前記第２の画像データ上の前記付着物の領域に対して所定のデータ加工を施す画像処理ステップと、
を備えることを特徴とする画像処理方法。
【発明の詳細な説明】
【技術分野】
【０００１】
本発明は、画像処理装置および画像処理方法に関する。
【背景技術】
【０００２】
近年、ｅ−文書法の施行により、医療法に定められた「記録（処方箋）」や旅館業法に定められた「宿泊者名簿」等の保管が義務付けられている文書を、電子化された文書（以下、電子文書と称する）として保存することが認められるようになった。膨大な紙文書の電子化は、保管場所の削減に寄与するとともに、検索効率も向上することから、電子化に関わる種々の技術の需要は高まっている。
【０００３】
一方、電子文書は紙の原文と同様の法的効力を有するものであることから、そのような電子文書を原文の厳密なコピーとすることが要求される。換言すると、紙文書に対して修正液または修正テープ等（以下、修正液と称する）で修正を行った場合、修正液の塗布箇所（以下、修正痕と称する）についても厳密に電子文書に反映させることが要求される。他方、所定の切り貼り紙用の領域に切り貼り紙を貼り付けて作成される文書を原文として取り扱う場合もあり、切り貼り紙を電子文書に反映させないよう要求される場合もある。
【０００４】
そのような文書電子化に関する技術として、例えば特許文献１に開示されるように、通常の露光量よりも少ない露光量で読み取った画像において、飽和している領域を修正痕領域と判定し、修正痕を強調表示する画像読取装置が知られている。
【０００５】
【特許文献１】特開２００６−２９５３０７号公報
【発明の開示】
【発明が解決しようとする課題】
【０００６】
しかしながら、特許文献１に開示される装置は、修正痕領域を特定することは可能なものの、同時に切り貼り紙等の地肌よりも濃度の低い紙（より白い紙）を電子文書に反映させてしまう可能性もある。
【０００７】
本発明は、上記に鑑みてなされたものであって、修正痕領域のみを特定することのできる画像処理装置および画像処理方法を提供することを目的とする。
【課題を解決するための手段】
【０００８】
上述した課題を解決し、目的を達成するために、本発明の一態様にかかる画像処理装置は、少なくとも第１の露光量と前記第１の露光量と異なる第２の露光量とを用いて原稿を露光する露光手段と、前記第１の露光量を用いて露光された原稿を読み取って第１の画像データを生成し、前記第２の露光量を用いて露光された原稿を読み取って第２の画像データを生成する読取手段と、前記第２の画像データから、前記原稿の濃度を検知する濃度検知手段と、前記第１の画像データから、前記原稿の濃度差領域を検知する濃度差領域検知手段と、前記濃度検知手段により検知された濃度および前記濃度差領域検知手段により検知された濃度差領域に基づき、前記原稿に付着した付着物の領域を決定する領域決定手段と、前記第２の画像データ上の前記付着物の領域に対して所定のデータ加工を施す画像処理手段と、を備えることを特徴とする。
【０００９】
また、本発明の別の態様にかかる画像処理方法は、少なくとも第１の露光量と前記第１の露光量と異なる第２の露光量とを用いて原稿を露光する露光ステップと、前記第１の露光量を用いて露光された原稿を読み取って第１の画像データを生成し、前記第２の露光量を用いて露光された原稿を読み取って第２の画像データを生成する読取ステップと、前記第２の画像データから、前記原稿の濃度を検知する濃度検知ステップと、前記第１の画像データから、前記原稿の濃度差領域を検知する濃度差領域検知ステップと、前記濃度検知ステップにおいて検知された濃度および前記濃度差領域検知ステップにより検知された濃度差領域に基づき、前記原稿に付着した付着物の領域を決定する領域決定ステップと、前記第２の画像データ上の前記付着物の領域に対して所定のデータ加工を施す画像処理ステップと、を備えることを特徴とする。
【発明の効果】
【００１０】
本発明によれば、通常よりも強い露光量で原稿を走査しているので、修正液が塗布されたおおよその領域のみを検知できるという効果を奏する。
【００１１】
また、本発明によれば、通常よりも強い露光量を用いた濃度差領域の特定処理に加え、特定された濃度差領域近傍の領域の濃度と地肌濃度とを比較するので、露光量の強さ故に修正痕領域として検知されなかった修正液の低密度領域についても、正確に修正痕領域として検知できるという効果を奏する。
【発明を実施するための最良の形態】
【００１２】
以下に添付図面を参照して、この発明にかかる画像処理装置および画像処理方法の最良な実施の形態を詳細に説明する。なお、本発明は、これらの実施の形態に限定されるものではなく、本発明の要旨を逸脱しない範囲で様々な変更実施の形態が可能である。
【００１３】
（第１の実施の形態）
本発明の第１の実施の形態にかかる画像処理装置および画像処理方法を図１〜図８に基づいて説明する。なお、本実施の形態では、画像処理装置を適用した例として、少なくともＣＣＤ方式スキャナを搭載したデジタル式複合機（ＭＦＰ）を説明する。また、以下の説明においては、白黒モードにより原稿の読み取りが行われるものとする。
【００１４】
図１は、画像処理装置１００の構成を示すブロック図である。図１に示される画像処理装置１００は、原稿を読み取る際に原稿を露光する照射光の露光量を調整する露光量調整部１１０と、原稿を露光する露光部１２０と、露光された原稿を読み取る読取部１３０と、読み取られた原稿（以下、画像データと称する）に対して後述する通常の画像処理を施す画像処理部１４０と、画像データに対して後述する特殊画像処理を行う特殊モード処理部１５０と、画像処理モードに関する要求をユーザから受け取る画像処理モード入力部１６０と、特殊画像処理および／または通常画像処理が施された画像データを画像処理装置１００の外部へ出力する出力部１７０と、を備える。
【００１５】
以下に、画像処理装置１００に備えられる露光部１２０および読取部１３０について、図２を参照して具体的に説明する。なお、露光部１２０および読取部１３０以外の構成については後述する。
【００１６】
図２は、画像処理装置１００を用いたＭＦＰ２００を示す概略図である。なお、図２は、原稿の読み取りに用いられるＣＣＤ方式スキャナの構成のみを示しており、例えば複写機やファクシミリ等、ＭＦＰに搭載され得るその他の構成については図示を省略している。
【００１７】
図２に示されるＭＦＰ２００は、筐体状のＭＦＰ本体部２１０と、ＭＦＰ本体部２１０の上部に取り付けられ、ＭＦＰ本体部２１０の上面において開閉する圧板２２０とを備える。
【００１８】
圧板２２０は、ＭＦＰ本体部２１０に対向する側において、白板２２１を備えている。原稿読み取りの際、原稿はＭＦＰ本体部２１０上面に載置される。そして、圧板２２０は、原稿全体を覆い且つ原稿を白板２２１と本体部２１０との間に挟み込むように閉じられる。これにより原稿は、白板２２１と本体部２１０の上面との間で狭持され、外部からの光を遮断し、所定の露光量により確実に原稿を露光することが可能となる。
【００１９】
ＭＦＰ本体部２１０は、原稿が載置されるコンタクト・ガラス２１１と、コンタクト・ガラス２１１を介して所定の露光量を用いて原稿を露光する原稿照明ランプ２１２と、原稿照明ランプ２１２により露光された原稿からの反射光を反射する第１のミラー２１３と、第１のミラーにより反射された光を反射する第２のミラー２１４および第３のミラー２１５と、第２のミラー２１４および第３のミラー２１５により反射された光を集光する集光レンズ２１６と、集光レンズ２１６により集光された光を読み取るＣＣＤ２１７と、を備える。
【００２０】
コンタクト・ガラス２１１は、ＭＦＰ本体部２１０の上面に配置されており、原稿の載置台として用いられるとともに、照明光および／または反射光を透過するものである。
【００２１】
原稿照明ランプ２１２は、原稿１ライン分を同時に照明可能な長さを有し、原稿を、コンタクト・ガラス２１１を介して所定の露光量により露光する。第１のミラー２１３は、露光された原稿からの反射光を反射する。なお、原稿照明ランプ２１２および第１のミラー２１３は、画像処理装置１００に備えられる露光部１２０に対応するものである。この露光部１２０は、コンタクト・ガラス２１１上に載置された原稿に平行となる方向（図２において左右方向）へ移動可能であり、原稿を１ラインずつ走査する。なお、ここでいう原稿１ライン分とは、例えばＣＣＤ２１７としてリニアＣＣＤを用いた場合、リニアＣＣＤ２１７が一度に読み取れる範囲に対応する原稿上の領域のことである。
【００２２】
第２のミラー２１４および第３のミラー２１５は、露光された原稿からの光を集光レンズ２１６へと導く。なお、それら複数のミラーを用いることにより、ＭＦＰ本体部２１０の厚さ（載置された原稿に対して直交する方向における厚さ）を減少させることが可能となる。
【００２３】
集光レンズ２１６は、複数のミラーにより反射された光をＣＣＤ２１７に集光するものである。ＣＣＤ２１７は、集光された光を読み取るものであり、図１における読み取り部１３０に対応する。なお、本実施の形態ではＣＣＤ２１７としてリニアＣＣＤが用いられている。しかしながら、本実施の形態はこれに限定されず、リニアＣＣＤに代えて、例えば通常のＣＣＤを用いることも可能である。なお、ここでいう通常のＣＣＤとは、原稿全体を一度に読み取ることが可能な画素数を有するものであり、そのような通常のＣＣＤを用いた場合、原稿に対して露光部を走査させる必要はなくなる。
【００２４】
次に、露光量調整部１１０および画像処理モード入力部１６０について、図３および図４を参照して具体的に説明する。図３は、原稿が露光された際の光の透過状態を示す概略図であり、白板２２１とコンタクト・ガラス２１１との間に原稿Ｄが閉じ込まれた状態を示している。コンタクト・ガラス２１１から白板２２１へ向かう矢印は、原稿照明ランプ２１２から照射された照射光の光路を示しており、白板２２１からコンタクト・ガラス２１１へ向かう矢印は、原稿Ｄまたは白板２２１からの反射光の光路を示している。また、原稿Ｄには、修正液が塗布されている修正痕領域Ｗと、切り貼り紙Ｐとが示されている。なお、図３では、原稿がどのように透過されているのかのみに着目しているため、その説明の便宜上、原稿Ｄとコンタクト・ガラス２１１との間に距離を設けているとともに、照明光および反射光を共に直線状に示してある。
【００２５】
本実施の形態の画像処理装置１００は、原稿Ｄを露光する光の露光量を調整する露光量調整部１１０を備えている。よって、同一の原稿Ｄを、通常の露光量（以下、露光量ｈ２と称する）と、通常の露光量と異なる露光量で露光することが可能である。なお、ここでいう「通常の露光量」とは、原稿Ｄと、原稿Ｄ上に印刷された文字等を含む画像を読み取ることのできる一般的な露光量のことであって、修正痕領域の特定が困難なものとして一般的に知られる露光量のことである。図３では、露光量ｈ２よりも大きな露光量（以下、露光量ｈ１と称する）が用いられている。露光量ｈ１の照射光は、図３の矢印に示されるように、原稿Ｄおよび切り貼り紙Ｐを透過するものの、修正痕領域Ｗの少なくとも一部については透過しない。これは、修正痕領域Ｗが、原稿Ｄおよび切り貼り紙Ｗよりも大きな密度を有した領域を含んでいることに起因している。なお、修正液の塗り方如何によっては、極めて密度の低い修正痕領域が存在する可能性もあるため、ここでは、露光量ｈ１の照射光が、修正痕領域Ｗの少なくとも一部、すなわち、少なくとも密度の高い修正痕領域を透過できないこととした。なお、露光量調整部１１０は、露光量ｈ１の値を予め格納する、図示しないメモリ等を備えている。
【００２６】
図４は、露光量ｈ１を用いてＣＣＤ２１７の一ライン分の画素に読み取られた原稿Ｄの濃度を示すグラフである。なお、図４では、ｘ軸は、ＣＣＤ２１７の１ライン上の画素位置を示し、ｙ軸は、ＣＣＤ２１７により検知された濃度を示す。また、それぞれの画素は、白板２２１からの反射光の濃度を最大値として検出しており、そのような濃度を飽和濃度として定義する。
【００２７】
図４に示されるように、領域Ａに属する画素により検出された濃度は飽和している。一方、領域Ｂに属する画素により検出された濃度は、飽和濃度と比較して低いものとなっている。これは、図３に示したように、修正痕領域においては、照射光が白板まで透過しないからである。よって、露光量ｈ１により、修正痕領域の少なくとも一部を、他の領域と区別することが可能となる。なお、以下の説明においては、露光量ｈ１を用いて検知された領域であって、飽和濃度を有していない領域を、「濃度差領域」と称する。
【００２８】
以上のように、露光量ｈ１を用いることにより、切り貼り紙を貼った領域を検知することなく、修正痕領域の一部である濃度差領域のみを検知することが可能となる。一方、露光量ｈ１は、切り貼り紙Ｐをも透過してしまう強度なものなので、修正液を極めて薄く塗布した領域においては、照射光が透過してしまう虞がある。よって、修正痕領域を正確に特定するため、後述するような、通常の露光量ｈ２を用いて読み取られた画像データ（以下、画像データＤ２と称する）に基づく画像処理が必要となる。
【００２９】
なお、上記した修正痕領域の特定は、画像データＤ２に対する特殊画像処理として行われるものであるが、そのような特殊モードでの動作に代えて、画像処理装置を、修正痕領域の特定を行わない通常モードで動作させることも可能である。この場合、画像処理装置は、露光量ｈ２のみを用いて画像の読み取りを行うこととなる。よって、それらの動作モードの選択要求を受け取るとともに、適宜露光量の選択および処理モードの選択を行うべく、画像処理装置１００には、さらに、画像処理モード入力部１６０が備えられている。なお、画像処理モード入力部１６０は、通常モードまたは特殊モードを行うか否かに関する要求をユーザから取得し、所定の画像処理モードで画像処理が行われるよう画像処理部１４０に通知するとともに、露光量ｈ１による露光を行うか否かについて露光部１２０に通知する。
【００３０】
以下に、本実施の形態の画像処理部１４０および特殊モード処理部１５０の構成について図５を用いて説明する。図５は、画像処理部１４０および特殊モード処理部１５０の構成を示すブロック図である。
【００３１】
図５に示すように、画像処理部１４０は、濃度検知部１４１と、処理モード選択部１４２と、γ変換部１４３と、フィルタ処理部１４４と、地肌補正部１４５と、変倍処理部１４６と、圧縮処理部１４７と、を備える。また、特殊モード処理部１５０は、濃度差領域検知部１５１と修正痕領域特定部１５２とを備える。
【００３２】
濃度検知部１４１には、露光量ｈ２を用いて読み取られた画像データＤ２が入力される。濃度検知部１４１は、入力された画像データＤ２から濃度情報を取得し、その濃度情報に基づき原稿の地肌濃度を検知する。例えば、濃度検知部１４１は、ｘ軸を濃度とし、ｙ軸を画素数としたヒストグラムを用いて画像データＤ２を表すことにより地肌濃度を決定する。通常、原稿の地肌が占める面積は、地肌以外の面積（文字や修正痕等が占める面積）よりも大きいので、地肌濃度を検出する画素の数は、地肌濃度以外の多数の濃度のうち同じ濃度を検出する画素の数のどれよりも多い。よって、画像データＤ２を示すヒストグラムにおいては、最大画素数に対応する濃度が地肌濃度を表すピーク値Ｖとして検知される。
【００３３】
処理モード選択部１４２には、濃度検知部１４１により検知されたピーク値Ｖと、濃度検知部１４１を介して入力された画像データＤ２と、画像処理モード入力部１６０に入力された処理モード（特殊モードまたは通常モード）の選択要求とが入力される。なお、特殊モードが選択された場合、処理モード選択部１４２には、露光量ｈ１を用いて読み取られた画像データＤ１も入力される。
【００３４】
γ変換部１４３は、画像データＤ２の濃淡値のγ変換を行い、特殊モードにおいては、特殊モード処理部１５０からの修正痕領域情報に基づき、修正痕を見やすくするためのγ変換も行う。フィルタ処理部１４４は、文字または絵柄の平滑化等の画素ごとの濃淡変換だけではなく、周辺の画素の濃淡値まで考慮した変換を行う。地肌補正部１４５は、地肌に対する濃淡の補正を行い、特殊モードにおいては、特殊モード処理部１５０からの修正痕領域情報に基づき、修正痕を正確に確認できるような地肌補正を行う。変倍処理部１４６は、画像データに対して所定の変倍処理を行う。圧縮処理部１４７は、変倍処理された画像データを所定の圧縮率にて圧縮する。
【００３５】
また、図５に示すように、特殊モード処理部１５０は、濃度差領域検知部１５１と、修正痕領域特定部１５２と、を備える。濃度差領域検知部１５１は、画像データＤ１に基づき濃度差領域を検知し、修正痕領域特定部１５２は、濃度差領域検知部１５１により検知された濃度差領域に基づき修正痕領域を特定する。
【００３６】
以下に、図６〜図８を参照して、本実施の形態にかかる特殊モード処理部１５０による特殊画像処理（修正痕領域特定処理）について具体的に説明する。図６は、その特殊画像処理を示すフローチャートであり、図７は、濃度差領域検知部１５１により検知された濃度差領域を画素単位で示す概略図であり、図８は、修正痕領域特定部１５２による比較対象画素の選択を示す概略図である。なお、図７および図８では、画像処理装置１００によって特定されるべき実際の修正痕領域を点線で示している。
【００３７】
図６に示されるように、濃度差領域検知部１５１は、特殊モードが選択された場合、画像データＤ１から濃度差領域Ａiを検知する（ステップＳ１００）。
【００３８】
濃度差領域検知部１５１により検知された濃度差領域Ａiは、図７において、斜線部の領域に対応する。露光量ｈ１で露光された修正痕領域Ｗは、上記したように、その高密度領域が濃度差領域Ａiとして検知される。一方、露光量ｈ１で露光された修正痕領域Ｗの低密度領域では、その密度の低さ故に照射光が透過してしまうため、濃度差領域Ａiとして検知されない。よって、以下のように、濃度差領域Ａiに基づき修正痕領域Ｗの低密度領域を特定して、修正痕領域Ｗ全体を特定することが必要となる。
【００３９】
修正痕領域特定部１５２は、濃度差領域検知部１５１により検知された濃度差領域Ａiに含まれる画素であって、注目画素として未だ選択されていない任意の画素を注目画素Ｔとして選択する（ステップＳ１１０）。
【００４０】
次に、修正痕領域特定部１５２は、選択された注目画素Ｔと隣り合う画素であって且つ濃度差領域Ａiに含まれない任意の画素を比較対象画素ＴCとして選択する（ステップＳ１２０）。なお、濃度差領域Ａiは、修正痕領域Ｗに含まれるものとしてすでに特定されていることから、濃度差領域Ａiに含まれる画素が修正痕領域に含まれるか否かの判断を再度行う必要はない。この理由のため、上記したステップＳ１２０では、そのような処理を省略するようにしている。
【００４１】
修正痕領域特定部１５２は、比較対象画素ＴCを選択すると、比較対象画素ＴCの濃度ＶCとピーク値Ｖとの比較がすでに終わっているか否かを判断する（ステップＳ１３０）。これにより、ピーク値Ｖと濃度ＶCとの比較がすでに行われていた場合、比較対象画素ＴCに対する重複した濃度比較処理を省略することができる。
【００４２】
ここで、図８を用いて、比較対象画素ＴCの選択についてより具体的に説明する。本実施の形態において、注目画素Ｔに対して隣り合わせの画素とは、図８に示される領域Ｓに含まれるものであり、例えば注目画素Ｔに対して左下にある画素ＴCである。換言すると、比較対象画素ＴCとなり得る画素は、注目画素Ｔを中心とした領域Ｓに含まれる注目画素Ｔ以外の８つの画素である。なお、上記したように、濃度差領域Ａiに含まれる画素は比較対象画素ＴCとして選択されないので、図８では、比較対象画素ＴCとなり得る画素は５つに限定される（ステップＳ１２０）。また、それら５つの画素についても、それぞれの画素の濃度がすでにピーク値Ｖと比較されたか否かが判断されることから（ステップＳ１３０）、その結果によっては、比較対象画素ＴCとなり得る画素がさらに限定される。
【００４３】
なお、本実施の形態においては、上記したように、比較対象画素ＴCとして、注目画素Ｔと隣り合わせの画素が選択される。しかしながら、本発明はこれに限定されず、例えば、注目画素Ｔを中心とした周囲２０個の画素のそれぞれを比較対象画素ＴCとして選択してもよく、また、注目画素Ｔを中心とした所定の半径を有する円に含まれる画素を比較対象画素ＴCとして選択しても良い。換言すると、比較対象画素ＴCとして、注目画素Ｔの周辺にある任意の画素を選択することができる。
【００４４】
比較対象画素ＴCの濃度ＶCとピーク値Ｖとがすでに比較されている否かを判断した結果（ステップＳ１３０）、濃度ＶCとピーク値Ｖとが比較されていた場合（ステップＳ１３０−Ｙｅｓ）、同じ注目画素Ｔと隣り合う画素であって、濃度差領域Ａiに含まれない、別の任意の画素を比較対象画素ＴCとして選択する。一方、濃度ＶCとピーク値Ｖとが比較されていなかった場合（ステップＳ１３０−Ｎｏ）、濃度ＶCがピーク値Ｖ未満であるか否かが判断される（ステップＳ１４０）。
【００４５】
その結果、比較対象画素ＴCの濃度ＶCがピーク値Ｖ以上であると判断された場合（ステップＳ１４０−Ｎｏ）、注目画素Ｔと隣り合う画素であって、濃度差領域Ａiに含まれないすべての画素を比較対象画素ＴCとして選択したか否かが判断される（ステップＳ１６０）。
【００４６】
一方、濃度比較を行った結果（ステップＳ１４０）、比較対象画素ＴCの濃度ＶCがピーク値Ｖ未満であった場合（ステップＳ１４０−Ｙｅｓ）、すなわち、比較対象画素ＴCが地肌よりもより白かった場合、修正痕領域特定部１５２は、比較対象画素ＴCを修正痕領域の一部として特定する（ステップＳ１５０）。そして、注目画素Ｔと隣り合う画素であって、濃度差領域Ａiに含まれないすべての画素を比較対象画素ＴCとして選択したか否かが判断される（ステップＳ１６０）。
【００４７】
ステップＳ１６０の結果、該当するすべての画素が比較対象画素ＴCとして未だ選択されていなかった場合（ステップＳ１６０−Ｎｏ）、注目画素Ｔと隣り合う画素であって、濃度差領域Ａiに含まれない別の画素を比較対象画素ＴCとして新たに選択する（ステップＳ１２０）。そして、被選択画素に対する修正痕領域特定処理（ステップＳ１２０〜ステップＳ１６０）を繰り返す。一方、修正痕領域特定部１５２は、該当するすべての画素が比較対象画素Ｔ該当するとして選択されていた場合（ステップＳ１６０−Ｙｅｓ）、濃度差領域Ａiに含まれるすべての画素を注目画素Ｔとして選択したか否かを判断する（ステップＳ１７０）。
【００４８】
その結果、該当するすべての画素が注目画素Ｔとして選択されていなかった場合（ステップＳ１７０−Ｎｏ）、修正痕領域特定部１５２は、同じ濃度差領域Ａiに含まれる画素であって、注目画素Ｔとして選択されていない別の画素を注目画素Ｔとして選択し（ステップＳ１１０）、その注目画素Ｔに対する修正痕領域特定処理（ステップＳ１１０〜ステップＳ１７０）を繰り返す。
【００４９】
一方、濃度差領域Ａiに含まれるすべての画素を注目画素Ｔとして選択していた場合（ステップＳ１７０−Ｙｅｓ）、修正痕領域特定部１５２は、すべての濃度差領域Ａiに対する修正痕領域特定処理（ステップＳ１１０〜ステップＳ１７０）が完了したか否かを判断する（ステップＳ１８０）。換言すると、例えば読み取り対象の原稿において複数の濃度差領域Ａ1およびＡ2が存在している場合、濃度差領域Ａ1およびＡ2のそれぞれに対する修正痕領域の特定が行われたか否かを判断する。
【００５０】
すべての濃度差領域Ａiに対して修正痕領域特定処理が完了していなかった場合（ステップＳ１８０−Ｎｏ）、次の濃度差領域Ａj（ｊ≠ｉ）に含まれる画素であって、注目画素として選択されていない任意の画素を注目画素Ｔとして選択し、その新たな濃度差領域Ａjに対する修正痕領域特定処理を繰り返す。一方、すべての濃度差領域Ａiに対して修正痕領域特定処理がなされていた場合（ステップＳ１８０−Ｙｅｓ）、修正痕領域特定部１５２は、特定された修正痕領域に関する情報を画像処理部１４０に送信する。これにより、特殊モード処理部１５０における修正痕領域特定処理は終了する。
【００５１】
画像処理部１４０のγ変換部１４３および地肌補正部１４５は、特殊モード処理部１５０により特定された修正痕領域Ｗに基づき、画像データＤ２に対して、特定された修正痕を見やすくするためのγ変換と地肌に対する濃淡の補正とを行う。また、フィルタ処理部１４４、変倍処理部１４６および圧縮処理部１４７は、画像データＤ２に対して上記したような所定の処理を施す。そして、画像処理された画像データＤ２は、画像処理部１４０から出力部１７０に送信される。
【００５２】
画像処理モード入力部１６０によって通常モードが選択された場合、画像処理装置１００では、特殊モード処理部１５０による修正痕領域の特定は行われず、露光量ｈ２を用いて取得された画像データＤ２のみを用いた通常の画像処理が行われる。換言すると、画像処理部１４０は、画像データＤ２に対して、修正痕領域を区別するような処理を行わない通常の画像処理を施して、出力部１７０へ出力する。
【００５３】
出力部１７０は、所定の処理が施された画像データＤ２を、ＭＦＰ２００に備えられた図示しない所定の装置へ転送する。例えば、ＭＦＰ２００に備えられる図示しない印刷部は、画像処理後のデータの印刷が要求された場合、出力部１７０から転送された画像処理済の画像データＤ２に対応した画像を印刷する。また、出力部１７０は、例えば画像データをデータとして取得することが要求された場合、画像処理済の画像データＤ２を図示しない所定の格納部へ格納する。換言すると、出力部１７０は、ＭＦＰ２００がスキャナ、印刷機、およびファクシミリ等の種々の機能を有するものであることから、ユーザの要求に応じて出力先を選択することとなる。
【００５４】
本実施の形態によれば、通常よりも強い露光量で原稿を走査して得た画像から、修正液が塗布されたおおよその領域のみを検知することができる。換言すると、本実施の形態によれば、切り貼り紙等を検知することなく修正痕のみを検知することが可能である。
【００５５】
また、本実施の形態によれば、通常よりも強い露光量を用いた濃度差領域の特定処理に加え、特定された濃度差領域近傍の領域の濃度と地肌濃度とを比較するので、露光量の強さ故に修正痕領域として検知されなかった修正液の低密度領域についても、正確に修正痕領域として検知することができる。
【００５６】
なお、本実施の形態では、画像処理装置を複合機に適用しているが、本発明はこれに限定されず、例えばファクシミリまたは複写機単体に用いることが可能である。
【００５７】
また、本実施の形態では、白黒モードによる画像処理装置を例示しているが、本発明はこれに限定されず、画像処理装置をカラー・モードの画像処理にも用いることが可能である。この場合、図２に示されるＭＦＰ２００に、原稿からの光を三原色（ＲＧＢ）に分解するカラー・フィルタ等を備え、また、画像処理部１４０に、決められた特性の色空間のＲＧＢデータに変換する色変換部等を備えればよい。
【００５８】
また、本実施の形態では、ＣＣＤ方式スキャナを用いているが、本発明はこれに限定されず、例えばＣＩＳ方式スキャナを用いても良い。
【００５９】
（第２の実施の形態）
次に、第２の実施の形態にかかる画像処理装置について説明する。なお、本実施の形態においても、画像処理装置を適用した例としてＭＦＰを例示する。第２の実施の形態にかかる画像処理装置は、濃度差領域検知部の内部処理についてのみ第１の実施の形態の画像処理装置と異なる。よって、同様の名称・符号を付した構成要素は、以下で特に言及しない限り第１の実施の形態と同様の構造、機能を有するものである。
【００６０】
本実施の形態では、第１の実施の形態における露光量ｈ１およびｈ２に加えて、露光量ｈ３が用いられる。ここで、露光量ｈ３は、ｈ３＝ｈ１＋αの関係を満たす。なお、ここでいうαは、原稿読み取りの際の測定誤差を考慮した正または負の値である。なお、以下の説明においては、ｈ１＞ｈ３の不等式を満たす露光量を用いる。
【００６１】
露光部は、特殊モードが選択されると、露光量ｈ１、ｈ２、およびｈ３のそれぞれを用いて原稿を読み取る（以下、露光量ｈ３を用いて読み取られた原稿を「画像データＤ３」と称する）。
【００６２】
濃度差領域検知部は、画像データＤ１およびＤ３を受け取ると、画像データＤ１において、濃度差領域を確認できるか否かを判断する。その結果、濃度差領域が確認された場合、画像データＤ１における濃度差領域Ｓｈ１および画像データＤ３における濃度差領域Ｓｈ３を示す濃度差領域Ｓｈ４、すなわち濃度差領域Ｓｈ１と濃度差領域Ｓｈ３との和集合で求められる濃度差領域Ｓｈ４を導出する。
【００６３】
次に、濃度差領域Ｓｈ４に含まれる任意の画素を注目画素Ｔとして選択する。そして、注目画素Ｔの近傍画素ＴCの濃度ＶCが以下の不等式（１）の関係を満たすか否かを判断する。なお、近傍画素ＴCは、例えば注目画素Ｔを中心とした近傍の２０個の画素から選択されるものとする。また、ＶTは注目画素Ｔの濃度であり、βは任意の小さな数である。
ＶT−β＜ＶC＜ＶT＋β                                                  （１）
【００６４】
その判断の結果、不等式（１）が満たされた場合、隣り合わせの画素ＴCを濃度差領域Ｓｈ４に追加する。一方、不等式（１）が満たされなかった場合、画素ＴCを濃度差領域Ｓｈ４には追加しない。
【００６５】
濃度差領域検知部は、上記した処理を、上記処理以前におけるＳｈ４に含まれる画素に対して行う。そして、その結果として検知された新たな濃度差領域Ｓｈ４を用いて、修正痕領域の特定を行う。なお、そのような修正痕領域の特定処理は、Ｓｈ４を第１の実施の形態のＳｈ１とし、Ｓｈ２を第１の実施の形態のＳｈ２とした場合と同様であり、ここではその説明を省略する。
【００６６】
一方、濃度差領域検知部は、画像データＤ１およびＤ３を受け取った後、画像データＤ１において濃度差領域を確認できないと判断した場合、上記したＳｈ３とＳｈ２とに基づき修正痕の領域特定処理を行う。なお、その処理は、上記したＳｈ３を第１の実施の形態のＳｈ１とし、Ｓｈ２を第１の実施の形態のＳｈ２とした場合と同様であり、ここではその説明を省略する。
【００６７】
以上のように、本実施の形態では、特殊モード選択時において、通常の露光量に加えて、異なる二つの露光量を用いて濃度差領域の特定を行っている。これにより、本来修正痕があるべき領域をより確実に濃度差領域として特定することが可能となる。
【００６８】
なお、本実施の形態では、濃度差領域Ｓｈ１と濃度差領域Ｓｈ２との和集合で求められる濃度差領域Ｓｈ４を導出していたが、Ｓｈ１とＳｈ２との積集合で求められる濃度差領域Ｓｈ４を導出しても良い。これにより、例えＳｈ１またはＳｈ２のいずれかが誤差領域を含んでいたとしても、異なる二つの露光量を用いて特定された同一の濃度差領域（すなわち、Ｓｈ１およびＳｈ２の積集合）が誤差を含む可能性は低いので、本来修正痕があるべき領域をより確実に濃度差領域として特定することが可能となる。
【００６９】
（第３の実施の形態）
次に、第３の実施の形態にかかる画像処理装置を図９および図１０に基づいて説明する。なお、本実施の形態においても、画像処理装置を用いた装置の一例としてＭＦＰを例示する。第３の実施の形態にかかる画像処理装置は、特殊モード処理部についてのみ第１の実施の形態の画像処理装置と異なる。よって、同様の名称・符号を付した構成要素は、以下で特に言及しない限り第１の実施の形態と同様の構造、機能を有するものである。
【００７０】
図９は、本実施の形態の画像処理部１４０および特殊モード処理部１８０の構成を示すブロック図である。なお、本実施の形態の画像処理部１４０は、第１の実施の形態の画像処理部１４０と同一のものであり、よって以下においてその説明を省略する。
【００７１】
図９に示されるように、特殊モード処理部１８０は、濃度差領域検知部１８１と、低濃度領域検知部１８２と、修正痕領域特定部１８３と、を備える。なお、本実施の形態の特殊モード処理部１８０は、低濃度領域検知部１８２を備える点と、これに伴う修正痕領域特定部１８３の処理動作についてのみ、第１の実施の形態の特殊モード処理部１５０と異なる。
【００７２】
低濃度領域特定部１８２は、特殊モード非選択時において、画像処理部１４０から画像データＤ２を受け取ると、画像データＤ２を複数のブロックに分割し、分割された各々のブロックにおいて地肌濃度よりも低い濃度の低濃度平均値を算出し、画像データＤ２に低濃度領域があるか否かの判断基準となる統計量Ｓを、算出された低濃度平均値に基づき算出する。そして、統計量Ｓが所定の関係を満たした場合、画像データＤ２に低濃度領域があるものと判断する。低濃度領域の有無の具体的な判断については後述する。
【００７３】
修正痕領域特定部１８３は、低濃度領域検知部１８２によって低濃度領域の存在が検知されると、第１の実施の形態における修正痕領域特定部１５２と同様に、濃度差領域Ａiに基づき修正痕領域の特定を行う。
【００７４】
以下に、図１０を参照して、低濃度領域検知部１８２による低濃度領域の有無の判断に関する処理について説明する。図１０は、低濃度領域検知部１８２における低濃度領域の判断処理を示すフローチャートである。
【００７５】
低濃度領域検知部１８２は、処理モード選択部１４２に特殊モードの選択要求が入力されると、露光量ｈ２を用いて読み取られた画像データＤ２および濃度検知部１４１により検知されたピーク値Ｖを受け取る。そして、画像データＤ２を、各々ｎ×ｍの画素数を有する複数のブロックに分割する（ステップＳ２００）。次に、低濃度領域検知部１６２は、分割されたブロックのうち、任意のブロックを注目ブロックＴBとして選択する（ステップＳ２１０）。その後、注目ブロックＴBに含まれるｎ×ｍ個の画素のうち、任意の画素を注目画素Ｔとして選択する（ステップＳ２２０）。
【００７６】
次に、低濃度領域検知部１８２は、選択された注目画素Ｔの濃度ＶTと、濃度検知部１４１が検知したピーク値とを比較する（ステップＳ２３０）。その結果、注目画素Ｔの濃度ＶTがピーク値Ｖ以上であった場合（ステップＳ２３０−Ｎｏ）、注目画素Ｔの頻度ｆTを０に設定する（ステップＳ２４０）。一方、注目画素Ｔの濃度ＶTがピーク値Ｖ未満であった場合（ステップＳ２３０−Ｙｅｓ）、注目画素Ｔの頻度ｆTを１に設定する（ステップＳ２５０）。
【００７７】
低濃度領域検知部１８２は、注目画素Ｔの頻度ｆTを設定すると、注目ブロックＴB内のすべての画素を注目画素Ｔとして選択したか否かを判断する（ステップＳ２６０）。その結果、注目ブロックＴB内のすべての画素が注目画素Ｔとして選択されていなかった場合（ステップＳ２６０−Ｎｏ）、同じ注目ブロックＴBに含まれる画素であって、すでに注目画素として選択されていない別の画素を注目画素Ｔとして選択し（ステップＳ２２０）、注目ブロックＴBに対する頻度ｆTの導出処理（ステップＳ２２０〜２６０）を繰り返す。一方、注目ブロックＴB内のすべての画素を注目画素Ｔとして選択していた場合（ステップＳ２６０−Ｙｅｓ）、注目ブロックＴBに含まれる画素の低濃度平均値Ｃaveを導出する（ステップＳ２７０）。
【００７８】
以下に、低濃度平均値Ｃaveの導出についてより具体的に説明する。注目ブロックＴB内において、ピーク値Ｖよりも低い濃度を有する画素の低濃度平均値Ｃaveは、以下の式（２）に示すように、それらの画素の低濃度総計を、それらの画素の総数で割ることにより求めることができる。
【数１】
2009194516.tif 000003
なお、ＶT,klは、注目ブロックＴB内のｋ行目のｌ列目における画素の濃度を示す。なお、低濃度を有さない画素の頻度ｆTは０となるので、Ｃaveの分子においては、低濃度要素のみが加算されることとなる。このようにして、注目ブロックＴB内の低濃度平均値Ｃaveを算出することができる。
【００７９】
低濃度領域検知部１８２は、注目ブロックＴBの低濃度平均値Ｃaveを算出すると（ステップＳ２７０）、画像データＤ２内のすべてのブロックを注目ブロックＴBとして選択したか否かを判断する（ステップＳ２８０）。その結果、すべてのブロックを注目ブロックＴBとして選択していなかった場合（ステップＳ２８０−Ｎｏ）、注目ブロックとしてすでに選択していないその他のブロックを注目ブロックＴBとして選択し（ステップＳ２１０）、頻度ｆTおよび低濃度平均値Ｃaveの導出処理（ステップＳ２１０〜Ｓ２８０）を繰り返す。一方、すべてのブロックを注目ブロックＴBとして選択していた場合（ステップＳ２８０−Ｙｅｓ）、画像データＤ２内において低濃度領域が存在するか否かの判断基準となる統計量Ｓを導出する。
【００８０】
以下に、統計量Ｓの導出について具体的に説明する。任意のブロックの低濃度の有無の頻度の総計ｆBを、次の式（３）のように表す。
【数２】
2009194516.tif 000004
すると、画像データＤ２の統計量Ｓは、以下の式（４）のように表すことができる。
【数３】
2009194516.tif 000005
なお、ｈは、画像データＤ２におけるブロックの総数である。
【００８１】
次に、低濃度領域検知部１８２は、統計量Ｓが所定の判断基準を満たすか否かを判断し、画像データＤ２における低濃度領域の有無を判断する（ステップＳ３００）。具体的には、低濃度領域検知部１８２は、統計量Ｓが下記不等式（５）を満たすか否かを判断する。
Ｓ＞εα＞０                                                            （５）
ここで、εαは、画像処理装置１００の原稿読み取り性能等、様々な環境に応じて決定される定数である。
【００８２】
低濃度領域検知部１８２は、統計量Ｓが所定の判断基準を満たさないと判断した場合（ステップＳ３００−Ｎｏ）、読み取られた原稿において低濃度領域がないものと判断する（ステップＳ３１０）。一方、統計量Ｓが所定の判断基準を満たすと判断した場合（ステップＳ３００−Ｙｅｓ）、読み取られた原稿において低濃度領域があるものと判断する（ステップＳ３２０）。これにより、低濃度領域検知部１８２による低濃度領域の有無の判断処理は終了する。
【００８３】
修正痕領域特定部１８３は、上記したように、低濃度領域があるものと判断されると、第１の実施の形態と同様の処理を行い、修正痕領域の特定処理を行う。一方、低濃度領域がないと判断された場合、修正痕領域の特定は行わず、画像データの処理としては、第１の実施の形態に詳述したような通常の処理が行われる。
【００８４】
本実施の形態によれば、読み取られた原稿における低濃度領域の有無が判断され、低濃度領域があると判断された場合にのみ修正痕領域の特定が行われる。低濃度領域の有無の判断処理が、画像処理装置の性能をも考慮して行われることから、より正確に修正痕領域の特定を行うことが可能となる。
【００８５】
（第４の実施の形態）
次に、第４の実施の形態にかかる画像処理装置を図１１に基づいて説明する。なお、本実施の形態においても、画像処理装置を適用した例としてＭＦＰを例示する。第４の実施の形態にかかる画像処理装置は、透過率検知部をさらに備えることについてのみ第１の実施の形態の画像処理装置と異なる。よって、同様の名称・符号を付した構成要素は、以下で特に言及しない限り第１の実施の形態と同様の構造、機能を有するものである。
【００８６】
図１１は、本実施の形態の画像処理装置３００の構成を示すブロック図である。第１の実施の形態の露光量調整部１１０は、原稿および切り貼り紙を透過する一方、修正液を透過しない所定の露光量ｈ１を、予めメモリ等に格納するものであった。一方、本実施の形態の露光量調整部３２０は、透過率検知部３１０により検知された透過率に基づき露光量ｈ１を決定する。
【００８７】
露光量ｈ１を決定する場合、まず、白紙の原稿（すなわち地肌のみを有する原稿）の読み取りを行う。そして、露光量を徐々に増加し、原稿が透過する露光量ｈαを検知する。透過率検知部３１０は、露光量ｈαを、地肌を透過する露光量として記憶する。
【００８８】
次に、画像のみを有する原稿、切り貼り紙のみが貼られた原稿、および修正液のみが塗布された原稿の読み取りを順次開始する。そして、それぞれの原稿に対する露光量を徐々に増加し、それぞれの原稿が透過する露光量を、露光量ｈβ、ｈγ、ｈδとして検知する。透過率検知部３１０は、それぞれの露光量を、画像部分、切り貼り部分、または修正液を透過する露光量として記憶する。
【００８９】
透過率検知部３１０は、上記した露光量を記憶すると、修正液の塗布箇所のみを透過しない露光量を検知する。例えば、上記した露光量がｈδ＞ｈβ＞ｈγ＞ｈαの不等式を満たす場合、透過率検知部３１０は、露光量ｈ１を、ｈδ＞ｈ１＞ｈβとして検知する。これにより、特殊モード選択時の画像処理に用いられる適切な露光量ｈ１が検知される。
【００９０】
本実施の形態では、原稿の地肌や切り貼り紙等を透過するが、修正液を透過しない露光量を、透過率検知部を用いて導出することが可能である。これにより、特殊モード選択時の画像処理に適切な露光量を導出することが可能となる。
【００９１】
なお、本実施の形態では、画像のみを有する原稿を用いる等、一の透過特性を有する原稿を順次読み取っている。しかしながら、本発明はこれに限定されず、例えば画像、切り張り紙、修正液、および地肌を有する単一の原稿を使用し、原稿のどの位置にそれぞれの箇所があるのかを透過率検知部に記憶させるとともに、それぞれの箇所を順次露光して、透過率を決定することも可能である。
【産業上の利用可能性】
【００９２】
以上のように、本発明にかかる画像処理装置および画像処理方法は、プリンタや印刷機や複写機やファクシミリや複合機に対して用いた場合に有用である。
【図面の簡単な説明】
【００９３】
【図１】第１の実施の形態の画像処理装置の構成を示すブロック図である。
【図２】画像処理装置を用いたＭＦＰによる原稿読み取りに関連した構成を示す概略図である。
【図３】修正痕の領域特定に用いられる露光量を有した照射光による原稿の透過状態を示す概略図である。
【図４】修正痕の領域特定に用いられる露光量を用いて検知される濃度差領域を示す概略図である。
【図５】第１の実施の形態の画像処理部および特殊モード処理部の構成を示すブロック図である。
【図６】特殊モード処理部による修正痕領域特定処理を示すフローチャートである。
【図７】実際の修正痕領域および濃度差領域をＣＣＤの画素と対応付けて示す説明図である。
【図８】任意の注目画素に対する比較対象画素の選択に関する説明図である。
【図９】第３の実施の形態にかかる画像処理部および特殊モード処理部の構成を示すブロック図である。
【図１０】第３の実施の形態にかかる低濃度領域の有無の判断処理を示すフローチャートである。
【図１１】第４の実施の形態の画像処理装置の構成を示すブロック図である。
【符号の説明】
【００９４】
１００，３００      画像処理装置
１１０，３２０      露光量調整部
１２０，３３０      露光部
１３０，３４０      読取部
１４０，３５０      画像処理部
１４１      濃度検知部
１４２      処理モード選択部
１４３      γ変換部
１４４      フィルタ処理部
１４５      地肌補正部
１４６      変倍処理部
１４７      圧縮処理部
１５０，１８０，３６０      特殊モード処理部
１５１，１８１      濃度差領域検知部
１５２，１８３      修正痕領域特定部
１６０，３７０      画像処理モード入力部
１７０，３８０      出力部
１８２      低濃度領域検知部
２００      ＭＦＰ
２１０      ＭＦＰ本体部
２１１      コンタクト・ガラス
２１２      原稿照明ランプ
２１３      第１のミラー
２１４      第２のミラー
２１５      第３のミラー
２１６      集光レンズ
２１７      ＣＣＤ
２２０      圧板
２２１      白板
３１０      透過率検知部
Ａi      濃度差領域
Ｄ      原稿
Ｄ１，Ｄ２      画像データ
Ｐ      切り貼り紙
Ｔ      注目画素
ＴC      比較対象画素
Ｗ      修正痕領域
【図１】
2009194516.tif 000006
【図２】
2009194516.tif 000007
【図３】
2009194516.tif 000008
【図４】
2009194516.tif 000009
【図５】
2009194516.tif 000010
【図６】
2009194516.tif 000011
【図７】
2009194516.tif 000012
【図８】
2009194516.tif 000013
【図９】
2009194516.tif 000014
【図１０】
2009194516.tif 000015
【図１１】
2009194516.tif 000016